(57)【要約】【課題】切断された電線を、間接活線工具を用いて接続する際に用いられ、作業性を向上させることを実現した間接活線用縁線スリーブを提供すること。【解決手段】間接活線用縁線スリーブ１は、電源側電線１０２の心線１０２ａが一端部から挿入されて他端部から所定長延出するように電源側電線１０２に取り付けられる円筒状の電源側スリーブ本体２０と、負荷側電線１００の心線１００ａが挿入され、負荷側電線１００に取り付けられる円筒状の負荷側スリーブ本体１０と、を備え、電源側スリーブ本体２０は、その一端部から他端部側に延びる板ばね部２４ｂ、及び板ばね部２４ｂの先端部に形成される鉤部２４ｃを備える引っ掛け部２４を有し、引っ掛け部２４は、負荷側スリーブ本体１０に電源側電線１０２の心線１０２ａが挿入された場合に、鉤部２４ｃが負荷側スリーブ本体１０の一端部に係合し、負荷側スリーブ本体１０と電源側スリーブ本体２０とを仮固定する。【選択図】図１
2018085195.tif 000002
【特許請求の範囲】
【請求項１】
電源側電線の心線が一端部側から挿入され、他端部から前記心線が所定長延出するように前記電源側電線に取り付けられる円筒状の電源側スリーブ本体と、
負荷側電線の心線が一端部側から挿入され、当該心線の先端が内部に配置されるように、前記負荷側電線に取り付けられる円筒状の負荷側スリーブ本体と、を備え、
前記電源側スリーブ本体は、当該電源側スリーブ本体の一端部から他端部側に延びる板ばね部、及び当該板ばね部の先端部に形成される鉤部を備える引っ掛け部を有し、
前記引っ掛け部は、前記負荷側スリーブ本体の他端部から前記電源側電線の心線が挿入された場合に、前記鉤部が前記負荷側スリーブ本体の一端部に係合して、前記負荷側スリーブ本体と前記電源側スリーブ本体とを仮固定する間接活線用縁線スリーブ。
【請求項２】
前記負荷側スリーブ本体は、その他端側から前記負荷側スリーブ本体と同軸に延びる案内部を備える請求項１に記載の間接活線用縁線スリーブ。
【発明の詳細な説明】
【技術分野】
【０００１】
本発明は、間接活線用縁線スリーブに関する。
【背景技術】
【０００２】
従来、電線（例えば、引下線）の接続には、縁線スリーブが使用される。その接続作業は、以下のように行われる。
まず、直接作業により、送電が停止されている負荷側の接続すべき電線先端の被覆を剥いで、縁線スリーブの半ばまで挿入し、圧着工具によって縁線スリーブの外側を数箇所押しつぶすことによって、スリーブ本体を心線に圧着させる。次に、間接活線工具を用いた間接活線作業により、通電されている電源側の接続すべき電線先端の被覆を皮剥具によって剥いで心線を剥き出しにした後、縁線スリーブに反対側の開口から挿入し、圧着工具によって縁線スリーブを数箇所押しつぶすことによって、スリーブ本体を心線に圧着させることにより、負荷側の電線と電源側の電線とが接続される。
【０００３】
電線同士を接続するための間接活線作業は、通常、二人の作業員によって行われる。一人の作業員が、２本の絶縁ヤットコと称される間接活線工具を操作して、負荷側の電線に圧着された縁線スリーブと、接続すべき電源側の電線の先端部とをそれぞれ把持し、電源側の電線の先端を縁線スリーブに挿入して、その状態を維持する。そして、もう一人の作業員が、例えば、絶縁操作棒に取り付けた圧着工具をバインド打ち器によって操作することによって縁線スリーブを心線に圧着させる。圧着作業後、縁線スリーブを合成樹脂材からなるスリーブカバーで覆うことにより接続作業が終了する。このような間接活線作業においては、電線を縁線スリーブに挿入する作業が作業員にとって容易ではない。
【０００４】
そこで、導電性金属材からなるスリーブ本体の少なくとも一端に、心線の挿入が可能な切欠部を形成するとともに、スリーブ本体に、絶縁ヤットコによって把持される際の滑り止め用の溝を形成する技術が提案されている（例えば、特許文献１参照）。これにより、電線の先端をその切欠部からスリーブ本体内に挿入してから、電線の先端をスリーブ本体の軸方向に移動させることによって容易に挿入することが可能となり、電線接続作業の能率が向上する。しかも、スリーブ本体に滑り止め用の溝が形成されていることにより、接続作業中にスリーブ本体が絶縁ヤットコから脱落しにくくなる。
【先行技術文献】
【特許文献】
【０００５】
【特許文献１】特開２００７−１２８８００号公報
【発明の概要】
【発明が解決しようとする課題】
【０００６】
しかしながら、上記の技術においても、圧縮作業を行う際に、２人の作業員の１人が、２本の絶縁ヤットコを操作して負荷側の電線及び電源側の電線を把持し、縁線スリーブに電源側の電線の心線を挿入した状態で維持する必要がある。このため、作業員の負担が大きく、どちらか一方の絶縁ヤットコを動かしてしまうことにより、電源側の心線が縁線スリーブから外れてしまったり、心線が縁線スリーブに十分に挿入されていない状態で縁線スリーブが圧縮されたりするおそれがある。
【０００７】
また、圧縮工具を縁線スリーブに掛けた際の圧縮工具の重み、あるいはバインド打ち器によって圧縮工具を操作する際にスリーブ本体に係る負荷によって縁線スリーブ側が下がってしまうことにより、同様の事象が発生するおそれがある。
【０００８】
本発明は、このような問題点を解決し、切断された電線を、間接活線工具を用いて接続する際に用いられ、作業性を向上させることを実現した間接活線用縁線スリーブを提供することを目的とする。
【課題を解決するための手段】
【０００９】
上記目的を達成するため本発明は、電源側電線の心線が一端部側から挿入され、他端部から前記心線が所定長延出するように前記電源側電線に取り付けられる円筒状の電源側スリーブ本体と、負荷側電線の心線が一端部側から挿入され、当該心線の先端が内部に配置されるように、前記負荷側電線に取り付けられる円筒状の負荷側スリーブ本体と、を備え、前記電源側スリーブ本体は、当該電源側スリーブ本体の一端部から他端部側に伸びる板ばね部、及び当該板ばね部の先端部に形成される鉤部を備える引っ掛け部を有し、前記引っ掛け部は、前記負荷側スリーブ本体の他端部から前記電源側電線の心線が挿入された場合に、前記鉤部が前記負荷側スリーブ本体の一端部に係合して、前記負荷側スリーブ本体と前記電源側スリーブ本体とを仮固定する間接活線用縁線スリーブを提供する。
【００１０】
また、前記負荷側スリーブ本体は、その他端側から前記負荷側スリーブ本体と同軸に延びる案内コイルを備えることが好ましい。
【発明の効果】
【００１１】
本発明によれば、切断された電線を、間接活線工具を用いて接続する際に用いられ、作業性を向上させることを実現した間接活線用縁線スリーブを提供することができる。
【図面の簡単な説明】
【００１２】
【図１】本実施形態における間接活線用縁線スリーブの構成を示す説明図であり、（ａ）図は側面図、（ｂ）図は正面図、（ｃ）図は背面図である。
【図２】本実施形態における間接活線用縁線スリーブの構成を示す分解図である。
【図３】本実施形態における切断された電線を接続する作業手順を示す図であり、（ａ）〜（ｃ）図は、負荷側スリーブ本体を取り付ける作業手順を示す。
【図４】本実施形態における切断された電線を接続する作業手順を示す図であり、（ａ）〜（ｃ）図は、電源側スリーブ本体を取り付ける作業手順を示す。
【図５】本実施形態における切断された電線を接続する作業手順を示す図であり、（ａ）〜（ｄ）図は、負荷側スリーブ本体及び電源側スリーブ本体を取り付ける作業手順を示す。
【発明を実施するための形態】
【００１３】
以下、本発明の一実施形態について、図面を参照しながら詳細に説明する。
図１は、本発明の一実施形態における間接活線用縁線スリーブ１の構成を示す説明図であり、図１（ａ）は側面図、図１（ｂ）は正面図、図１（ｃ）は背面図である。図２は、本発明の一実施形態における間接活線用縁線スリーブ１の構成を示す分解図である。
【００１４】
間接活線用縁線スリーブ１は、負荷側スリーブ本体１０と、電源側スリーブ本体２０と、案内部としての案内コイル３０と、から構成されている。
【００１５】
負荷側スリーブ本体１０は、導電性を有する直円筒状の部材である。負荷側スリーブ本体１０には、切断された電線における負荷側の負荷側電線１００の心線１００ａが挿入され、負荷側スリーブ本体１０における挿入方向の近位側の一端部側から心線１００ａが内部へ挿通する。負荷側スリーブ本体１０の一部が圧縮されることにより、負荷側スリーブ本体１０が負荷側電線１００の端部に固定される。
【００１６】
電源側スリーブ本体２０は、導電性を有する部材からなり、直円筒状の円筒部２２と、円筒部２２から延出する引っ掛け部２４とを備えている。
【００１７】
円筒部２２は、内径及び外径が負荷側スリーブ本体１０の内径及び外径と同一である。円筒部２２には、切断された電線における電源側の電源側電線１０２の心線１０２ａが挿入され、円筒部２２における挿入方向の近位側の一端部側から心線１０２ａが内部へ挿通する。円筒部２２の一部が圧縮されることにより、円筒部２２が電源側電線１０２の端部に固定される。
【００１８】
引っ掛け部２４は、基端部２４ａと、板ばね部２４ｂと、鉤部２４ｃとからなる。
基端部２４ａは、円筒部２２の側面における一端側の所定部位から半径方向外側に延在する。
板ばね部２４ｂは、板ばね性を有する平板状に形成され、基端部２４ａから直角に曲がり、円筒部２２における電源側電線１０２の挿入方向の遠位側である他端側に向かって、円筒部２２の中心軸に沿って延びている。板ばね部２４ｂは、電源側スリーブ本体２０よりも長く構成されており、電源側スリーブ本体２０の他端面を越えた部分の長さは、負荷側スリーブ本体１０の長さに略等しく設定されている。
鉤部２４ｃは、板ばね部２４ｂの先端から円筒部２２の内側に向かって突出する。鉤部２４ｃは、電源側スリーブ本体２０を正面視した場合に、鉤部２４ｃの先端部が円筒部２２の一端面の範囲に位置付けられる。
【００１９】
引っ掛け部２４は、以上のように、円筒部２２の一端部から略Ｌ字形に延びている。このため、図１（ａ）及び図１（ｂ）に示すように、電源側スリーブ本体２０の円筒部２２の他端面と負荷側スリーブ本体１０の他端面とを当接させ、両者を同軸に組み合わせた場合に、引っ掛け部２４の鉤部２４ｃが、負荷側スリーブ本体１０の一端部に係合する。
【００２０】
案内コイル３０は、負荷側スリーブ本体１０の他端部の側方に設けられ、他端部から外側へ延出して負荷側スリーブ本体１０と同軸に配置される。案内コイル３０は、案内コイル３０を軸方向視した場合に円形をなしており、その直径は、負荷側スリーブ本体１０の外径よりも若干大きく設定されている。このため、案内コイル３０の内部に電源側スリーブ本体２０の円筒部２２を通すことにより、図１（ａ）に示すように、電源側スリーブ本体２０の円筒部２２の他端面と負荷側スリーブ本体１０の他端面とを当接させることが可能である。
【００２１】
次に、切断された電線を接続する作業手順について、図３〜図５を参照しながら説明する。図３（ａ）〜（ｃ）は、負荷側スリーブ本体１０を取り付ける作業手順を示す。図４（ａ）〜（ｃ）は、電源側スリーブ本体２０を取り付ける作業手順を示す。図５（ａ）〜（ｄ）は、負荷側スリーブ本体１０及び電源側スリーブ本体２０を取り付ける作業手順を示す。
【００２２】
まず、図３（ａ）に示すように、作業員は、負荷側の電線１００の端部の被覆を剥いで心線１００ａを負荷側スリーブ本体１０の１／２の長さ程度露出させる。そして、図３（ｂ）に示すように、作業員は、負荷側スリーブ本体１０の挿入方向近位側の一端部から心線１００ａを挿入する。この時、心線１００ａの先端は、負荷側スリーブ本体１０の内部の長手方向の中央付近に位置付けられる。次に、図３（ｃ）に示すように、図示しない圧縮工具を用いて負荷側スリーブ本体１０の一端部を数カ所圧縮する。これにより、負荷側の電線１００の端部に負荷側スリーブ本体１０が固定される。なお、図３に示すこれらの作業は、負荷側の電線１００が停電状態であるため、作業員の手によって直接行われる。
【００２３】
次に、図４（ａ）に示すように、作業員は、電源側の電線１０２の端部の被覆を剥いで心線１０２ａを露出させる。この際、露出させる心線１０２ａの長さは、電源側スリーブ本体２０の円筒部２２の長さと、負荷側スリーブ本体１０の１／２の長さとの和程度に設定される。そして、図４（ｂ）示すように、作業員は、電源側スリーブ本体２０の円筒部２２の一端部から心線１０２ａを挿入して、円筒部２２の挿入方向近位側の一端部から心線１０２ａを延出させる。次に、図４（ｃ）に示すように、図示しない圧縮工具を用いて円筒部２２の一端部を数カ所圧縮する。これにより、電源側の電線１０２の端部に電源側スリーブ本体２０が固定される。なお、図４に示すこれらの作業は、電源側の電線１０２が充電状態であるため、間接活線工具を用いて行われる。
【００２４】
次に、図５（ａ）に示すように、１人の作業員が、２本の絶縁ヤットコ２００、２０２を用い、一方の手で絶縁ヤットコ２００を操作して電線１００における負荷側スリーブ本体１０近傍を把持するとともに、もう一方の手で絶縁ヤットコ２０２を操作して電線１０２における電源側スリーブ本体２０近傍を把持し、負荷側スリーブ本体１０と電源側スリーブ本体２０とを対向させる。
【００２５】
作業員は、２本の絶縁ヤットコ２００、２０２を操作して、電源側スリーブ本体２０から突出している心線１０２ａを負荷側スリーブ本体１０に挿入させる。この際、心線１０２ａの周囲が案内コイル３０によって囲まれるため、心線１０２ａが負荷側スリーブ本体１０から大きく外れることが防止され、更に、電源側スリーブ本体２０の円筒部２２が案内コイル３０によって負荷側スリーブ本体１０側に案内される。
また、電源側スリーブ本体２０の円筒部２２が負荷側スリーブ本体１０側に案内されている時点で、鉤部２４ｃは負荷側スリーブ本体１０の側面に当接しかつ板ばねが弾性変形している状態になる。
【００２６】
そして、負荷側スリーブ本体１０の他端部から心線１０２ａが挿入され、図５（ｂ）に示すように、電源側スリーブ本体２０と負荷側スリーブ本体１０とが当接した時点で、鉤部２４ｃが負荷側スリーブ本体１０を越えて、負荷側スリーブ本体１０の他端部に係合する。これにより、負荷側スリーブ本体１０と電源側スリーブ本体２０とが仮固定され、例えば、作業員が片方の絶縁ヤットコ２０２を電線１０２から離した程度では、負荷側スリーブ本体１０と電源側スリーブ本体２０との連結は解除されない。また、心線１０２ａの先端は、負荷側スリーブ本体１０の長手方向の中央付近に位置付けられる。
【００２７】
次に、図５（ｃ）に示すように、１人の作業員が絶縁ヤットコ２００、２０２を操作して、電線１００、１０２を把持している状態で、もう１人の作業員が、図示しない圧縮工具を用いて負荷側スリーブ本体１０の他端部を数カ所圧縮する。これにより、図５（ｄ）に示すように、電線１００と電線１０２とが接続される。そして、負荷側スリーブ本体１０及び電源側スリーブ本体２０の周囲が絶縁部材によって覆われることにより、電線の接続作業が完了する。
【００２８】
なお、負荷側スリーブ本体１０と電源側スリーブ本体２０とを連結した後、絶縁ヤットコ２００、２０２を操作している作業員は、絶縁ヤットコ２０２を用いず、絶縁ヤットコ２００だけで負荷側スリーブ本体１０を支持してもよい。
【００２９】
本実施形態によれば、以下の効果が奏される。
本実施形態によれば、間接活線用縁線スリーブ１を、電源側電線１０２の心線１０２ａが一端部側から挿入され、他端部から前記心線１０２ａが所定長延出するように電源側電線１０２に取り付けられる円筒状の電源側スリーブ本体２０と、負荷側電線１００の心線１００ａが一端部側から挿入され、心線１００ａの先端が内部に配置されるように、負荷側電線１００に取り付けられる円筒状の負荷側スリーブ本体１０と、を含んで構成した。また、電源側スリーブ本体２０を、電源側スリーブ本体２０の一端部から他端部側に伸びる板ばね部２４ｂ、及び板ばね部２４ｂの先端部に形成される鉤部２４ｃを備える引っ掛け部２４を含んで構成し、引っ掛け部２４を、負荷側スリーブ本体１０の他端部から電源側電線１０２の心線１０２ａが挿入された場合に、鉤部２４ｃが負荷側スリーブ本体１０の一端部に係合して、負荷側スリーブ本体１０と電源側スリーブ本体２０とを仮固定するように構成した。
【００３０】
本実施形態によれば、負荷側スリーブ本体１０に電源側である電線１０２の心線１０２ａを挿入した際に、引っ掛け部２４の鉤部２４ｃが、負荷側スリーブ本体１０の一端部に係合することにより、負荷側スリーブ本体１０と電源側スリーブ本体２０とが仮固定される。これにより、電線１０２の心線１０２ａが、負荷側スリーブ本体１０の内部に挿入された状態で確実に維持される。その結果、例えば、２本の絶縁ヤットコ２００、２０２を操作している作業員の手が動いたり、圧縮工具が掛けられたりした場合に、負荷側スリーブ本体１０の内部において電線１０２の心線１０２ａがずれることが防止され、圧縮作業を円滑に行うことが可能になる。このように、本実施形態の間接活線用縁線スリーブ１を用いることにより、電線同士を接続する際の作業性を向上させることが可能になる。
【００３１】
また、負荷側スリーブ本体１０と電源側スリーブ本体２０とが仮固定された後は、電線１０２の心線１０２ａが負荷側スリーブ本体１０の内部に挿入された状態で維持されるため、絶縁ヤットコ２００、２０２を操作する作業員の負担が軽減される。
【００３２】
また、本実施形態によれば、負荷側スリーブ本体１０を、その他端側から負荷側スリーブ本体１０と同軸に延びる案内コイル３０を含んで構成した。これにより、負荷側スリーブ本体１０に案内コイル３０が設けられており、この案内コイル３０が、電線１０２の心線１０２ａを負荷側スリーブ本体１０に挿入する際に、電線１０２の心線１０２ａ及び円筒部２２を、負荷側スリーブ本体１０の他端に向かうように案内する。これにより、電線１０２の心線１０２ａを負荷側スリーブ本体１０に挿入する作業が容易になる。
【００３３】
以上、本発明の実施形態について説明したが、本発明の実施形態は上述した実施形態に限るものではない。例えば、上記実施形態では、案内部をコイル状の案内コイルにより構成したが、これに限られない。電源側電線１０２の心線１０２ａを負荷側スリーブ本体１０の内部に案内できる形状であって、引っ掛け部２４と電源側スリーブ本体２０との間に配置できるものであればよく、円筒状等であってもよい。
【符号の説明】
【００３４】
１      間接活線用縁線スリーブ
１０    負荷側スリーブ本体
２２    電源側スリーブ本体
２４    引っ掛け部
２４ｂ  板ばね部
２４ｃ  鉤部
３０    案内コイル（案内部）
１００  負荷側電線
１０２  電源側電線
１００ａ  負荷側電線の心線
１０２ａ  電源側電線の心線
【図１】
2018085195.tif 000003
【図２】
2018085195.tif 000004
【図３】
2018085195.tif 000005
【図４】
2018085195.tif 000006
【図５】
2018085195.tif 000007